(57)【要約】【課題】短波帯アマチュア無線通信機において、運用周波数帯の設定などの送受信周波数に関連する運用モードを高い視認性確認の下に迅速且つ容易にできるようにする。【解決手段】操作パネル1aの一部に、運用可能な周波数帯から一の周波数帯を選択するバンドキー10-(X)を水平方向へ整列配置し、その整列方向と平行な関係で、橙色／青色／白色の各インジケータ発光部の列11-(X),12(X),13-(X)を、垂直方向に関して各インジケータ発光部が各バンドキー10-(X)と対応するようにする。インジケータ発光部の列11-(X)にはバンドキー10-(X)の長押しでメモ機能を持たせ、インジケータ発光部の列12(X),13-(X)はバンドキー10-(X)の短押しで、それぞれＭＡＩＮバンドとＳＵＢバンドの周波数帯に対応する発光部を点灯させて選択周波数帯の標示機能を持たせる。【選択図】図１
2019201367.tif 000002
【特許請求の範囲】
【請求項１】
メイン受信部とサブ受信部を備えた短波帯アマチュア無線通信機において、
操作パネルの一部に、運用可能な多数の周波数帯から一の周波数帯を選択するためのバンドキーを水平方向へ整列配置すると共に、前記バンドキーの整列方向と平行な関係で、ＬＥＤを発光源とするインジケータ発光部の列を、垂直方向に関して前記各インジケータ発光部が前記各バンドキーと対応する位置となる態様で、各列のＬＥＤの発光色を異ならせて３列配設させた運用モード設定部を設け、
前記３列のインジケータ発光部の列の内、１列をメモ列、他の２列をメイン運用標示列とサブ運用標示列として、
一の周波数帯の前記バンドキーを長押しすると、前記メモ列におけるインジケータ発光部の内の、垂直方向に関して前記長押したバンドキーに対応するインジケータ発光部のＬＥＤを点灯させ、
前記メイン受信部又は前記サブ受信部の選択状態で、一の周波数帯の前記バンドキーを短押しすると、前記メイン受信部の選択状態であった場合には、前記メイン運用標示列におけるインジケータ発光部の内の、垂直方向に関して前記短押ししたバンドキーに対応するインジケータ発光部のＬＥＤを点灯させ、前記サブ受信部の選択状態であった場合には、前記サブ運用標示列におけるインジケータ発光部の内の、垂直方向に関して前記短押ししたバンドキーに対応するインジケータ発光部のＬＥＤを点灯させる
ことを特徴とする短波帯アマチュア無線通信機における運用モード設定装置。
【請求項２】
前記バンドキーの列と前記３列のインジケータ発光部の列の配置は、上側から前記メモ列、前記メイン運用標示列、前記バンドキーの列、前記サブ運用標示列の順とした請求項１に記載の短波帯アマチュア無線通信機における運用モード設定装置。
【請求項３】
前記メイン運用標示列と前記サブ運用標示列の端部から列方向へ離隔した位置に、前記各運用標示列のＬＥＤの発光色と同色である各単一インジケータ発光部を設け、前記メイン受信部又は前記サブ受信部の内の運用中の方に対応する前記単一インジケータ発光部を点灯させることとした請求項１又は請求項２に記載の短波帯アマチュア無線通信機における運用モード設定装置。
【請求項４】
前記メイン運用標示列と前記サブ運用標示列におけるインジケータ発光部は、前記各発行色以外の第３発光色のＬＥＤによる点灯も可能であり、前記メイン受信部又は前記サブ受信部に設定された周波数帯での送信モードになった場合には、前記第３発光色のＬＥＤによる点灯状態に切り替わることとした請求項１、請求項２又は請求項３に記載の短波帯アマチュア無線通信機における運用モード設定装置。
【請求項５】
前記メイン受信部又は前記サブ受信部の選択用のキーを運用モード設定部に併設させた請求項１、請求項２、請求項３又は請求項４に記載の短波帯アマチュア無線通信機における運用モード設定装置。
【発明の詳細な説明】
【技術分野】
【０００１】
本発明は、短波帯アマチュア無線通信機において送受信周波数に関連する運用モードを高い視認性確認の下に設定できる装置に関する。
【背景技術】
【０００２】
短波帯アマチュア無線で運用出来る周波数帯は、1MHzから70MHzまでのなかで1.8MHz帯、3.5MHz帯、5.0MHz帯、7.0MHz帯、10.0MHz帯、14MHz帯、18MHz帯、21MHz帯、24.5MHz帯、28-29MHz帯、50MHz帯、70MHz帯というように離散的に定められている（総務省令電波法施行規則に基づきアマチュア局が使用する周波数帯（アマチュアバンド又はハムバンド）を規定する総務省告示）。
【０００３】
そのため、短波帯アマチュア無線通信機では、前記の許可された各短波帯での運用が可能なように設計されており、各短波帯の選択のために、前面操作パネル面の一区画を占有する態様でテンキーとバンドキー（運用周波数帯選択キー）の兼用キーとして、又は専用のバンドキーとしてマトリクス状に配置させてある。
【０００４】
また、短波帯アマチュア無線通信機における送受信周波数に関連した運用モードとしては、前記の運用周波数帯の選択以外にも、送信／受信での周波数の選択について、送信と受信を同じ周波数で行う通常モードと、送信と受信を異なる周波数で行うスプリットモードと、メインバンドで送受信を行いながら周波数の異なるサブバンドで受信を行う２波同時受信モード（２つの受信部を装備していることが前提）などがあるが、これらの送受信周波数に関連するモード選択についても、前記バンドキーとは別に操作パネル面に設けられたキーを操作して選択させるようになっている機種が多い。
【０００５】
例えば、図３は下記の非特許文献１に係る短波帯アマチュア無線通信機の操作パネル面であるが、メインダイアルの上側に１１個のバンドキーをマトリクス状に配設し、その周囲に送受信周波数に関連する運用モードを選択するための各種キーを配置させている。
その構成は、下記の非特許文献２の短波帯アマチュア無線通信機の操作パネル面においても、図４に示されるように大差はない。
【先行技術文献】
【非特許文献】
【０００６】
【非特許文献１】アイコム株式会社、"取扱説明書  HF/50MHz TRANSCEIVER（1-1,2）"、[online]、平成29年（2017年）、[平成30年5月10日検索]、インターネット< URL：http://www.icom.co.jp/support/download/manual/pdf/IC-7610_JPN_IM_3c.pdf>
【０００７】
【非特許文献２】株式会社ＪＶＣケンウッド、・・・・・・・・・・・・トランシーバー  TS-990S  TS-990D  取扱説明書（2-6,7）"、[online]、平成27年（2015年）、[平成30年5月10日検索]、インターネット<URL：http://manual2.jvckenwood.com/files/B62-2388-40.pdf>
【発明の概要】
【発明が解決しようとする課題】
【０００８】
ところで、前記のように短波帯アマチュア無線で運用可能な周波数帯は多数に亘るため、マトリクス状に配設されているテンキーの操作で選択・移動を行う場合には各キーがどの周波数帯に割り当てられているかを確認することが煩わしい。
各テンキーの表面に本来の数字と共に周波数帯が併記されている場合や、各テンキーにおける上側隣接キーとの隙間のパネル面に周波数帯が記されている場合などもあるが、文字サイズは小さいために判読しづらく、マトリクス状の並びは周波数帯との対応関係を感覚的に把握することに不向きで馴染みにくい。
【０００９】
また、図３及び図４に示されるように、操作パネルではバンドキーの配置位置に近くなるように送受信周波数に関連した選択操作キー（ＭＡＩＮ／ＳＵＢやＴＸ／ＲＸ）やモード表示用のインジケータＬＥＤなどを配設させているが、それらは単に近いというだけで、バンドキーと選択操作キーやインジケータＬＥＤとの機能的な連繋関係を把握させるものではない。
【００１０】
一方、最近の短波帯アマチュア無線通信機の多くは液晶ディスプレイを搭載して電波の受信状態と共に運用モードの詳細を表示させるようになっており、さらには一定の操作に関してはタッチパネル方式でキー・ダイアルの場合と同様の操作が可能になっている機種も販売されており多く、上記の非特許文献１に係る無線通信機はタッチパネル方式の液晶ディスプレイになっている。
しかしながら、タッチパネルでの入力操作は比較的複雑で熟達までには相当の経験と時間が必要であり、またメニュー画面を表示させてからの選択入力などの手順が多く、迅速な切り替えが要求されるような場合には不向きな面も多い。
【００１１】
そこで、本発明は、短波帯アマチュア無線通信機において、各バンドキーと各周波数帯に対するメモ機能や帯域選択モードなどを示すインジケータ発光部とを整列配置させ、またそれに関連するＭＡＩＮ受信部／ＳＵＢ受信部の選択やその送信／受信の設定に係る操作キーを合理的に配置することにより、短波帯アマチュア無線通信機の運用をきわめて容易にすることを目的として創作された。
【課題を解決するための手段】
【００１２】
本発明は、メイン受信部とサブ受信部を備えた短波帯アマチュア無線通信機において、操作パネルの一部に、運用可能な多数の周波数帯から一の周波数帯を選択するためのバンドキーを水平方向へ整列配置すると共に、前記バンドキーの整列方向と平行な関係で、ＬＥＤを発光源とするインジケータ発光部の列を、垂直方向に関して前記各インジケータ発光部が前記各バンドキーと対応する位置となる態様で、各列のＬＥＤの発光色を異ならせて３列配設させた運用モード設定部を設け、前記３列のインジケータ発光部の列の内、１列をメモ列、他の２列をメイン運用標示列とサブ運用標示列として、一の周波数帯の前記バンドキーを長押しすると、前記メモ列におけるインジケータ発光部の内の、垂直方向に関して前記長押したバンドキーに対応するインジケータ発光部のＬＥＤを点灯させ、前記メイン受信部又は前記サブ受信部の選択状態で、一の周波数帯の前記バンドキーを短押しすると、前記メイン受信部の選択状態であった場合には、前記メイン運用標示列におけるインジケータ発光部の内の、垂直方向に関して前記短押ししたバンドキーに対応するインジケータ発光部のＬＥＤを点灯させ、前記サブ受信部の選択状態であった場合には、前記サブ運用標示列におけるインジケータ発光部の内の、垂直方向に関して前記短押ししたバンドキーに対応するインジケータ発光部のＬＥＤを点灯させることを特徴とする短波帯アマチュア無線通信機における運用モード設定装置に係る。
【００１３】
また、本発明においては、前記バンドキーの列と前記３列のインジケータ発光部の列の配置を、上側から前記メモ列、前記メイン運用標示列、前記バンドキーの列、前記サブ運用標示列の順とすることが好ましい。
【００１４】
また、本発明においては、前記メイン運用標示列と前記サブ運用標示列の端部から列方向へ離隔した位置に、前記各運用標示列のＬＥＤの発光色と同色である各単一インジケータ発光部を設け、前記メイン受信部又は前記サブ受信部の内の運用中の方に対応する前記単一インジケータ発光部を点灯させるようにすることが望ましい。
【００１５】
また、本発明においては、前記メイン運用標示列と前記サブ運用標示列におけるインジケータ発光部を、前記各発行色以外の第３発光色のＬＥＤによる点灯も可能なものとし、前記メイン受信部又は前記サブ受信部に設定された周波数帯での送信モードになった場合には、前記第３発光色のＬＥＤによる点灯状態に切り替わるようにすることが望ましい。
【００１６】
また、本発明においては、前記メイン受信部又は前記サブ受信部の選択用のキーを運用モード設定部に併設させておけば操作上都合が良い。
【発明の効果】
【００１７】
本発明は、短波帯アマチュア無線通信機において、運用周波数帯域の設定などの送受信周波数に関連する運用モード設定を高い視認性確認の下に迅速且つ容易にできるようにする。また、使用可能な又はよく使用する周波数帯を予め確認することなどを可能にするメモ機能も備えて利便性の向上を図ることで使い勝手のよい通信機を提供する。
【図面の簡単な説明】
【００１８】
【図１】本発明に係る運用モード設定装置を適用した短波帯アマチュア無線通信機の正面側斜視図と操作パネルにおける運用モード設定部分の拡大図である。
【図２】無線通信機本体のシステム回路図と操作パネルにおける運用モード設定部分との接続関係を示す図である。
【図３】非特許文献１に係るＨＦ／５０ＭＨｚ トランシーバーの正面図である。
【図４】非特許文献２に係るＨＦ／５０ＭＨｚ トランシーバーの正面図である。
【発明を実施するための形態】
【００１９】
以下、本発明の実施例に係る短波帯アマチュア無線通信機の運用モード設定装置について、図面を参照しながら詳細に説明する。
先ず、図１において、1は短波帯アマチュア無線通信機であり、2はその操作パネルにおける周波数関連の運用モード設定部分であり、同運用モード設定部分2については上側に拡大して示してある。
【００２０】
運用モード設定部分2には、１２の運用周波数帯域（1.8MHz帯、3.5MHz帯、5.0MHz帯、7.0MHz帯、10.0MHz帯、14MHz帯、18MHz帯、21MHz帯、24.5MHz帯、28-29MHz帯、50MHz帯、70MHz帯）についての横長方形状のバンドキー（運用周波数帯選択キー）10-(X)：X=1〜12が水平方向へ整列配置されており、各バンドキー10-(X)の表面には周波数帯域を示す数字が刻印されている。なお、図示するように、“X”は水平方向への並び順を表すインデックスである。
【００２１】
そして、そのバンドキー10-(X)の整列方向と平行な関係で、１２個の横長のインジケータ発光部で構成されている列を、垂直方向に関して各インジケータ発光部が各バンドキー10-(X)と対応する位置となる態様で、バンドキー10-(X)の列の上側に２段、下側に１段配設してある。
ここで、上側２段のインジケータ発光部11-(X),12-(X)の列の内、上から第１番目の列の各インジケータ発光部11-(X)は橙色発光ＬＥＤによるものであり、第２番目の列の各インジケータ発光部12-(X)は青色発光ＬＥＤと赤色発光ＬＥＤによるものであり、下側１段のインジケータ発光部13-(X)の列の各インジケータ発光部は白色発光ＬＥＤと赤色発光ＬＥＤによるものである。
【００２２】
さらに、前記インジケータ発光部12-(X)と13-(X)の列の左側には、それぞれ
青色発光ＬＥＤと白色発光ＬＥＤによる短い長円状のインジケータ発光部14,15が配設されている。
【００２３】
運用モード設定部分2において、バンドキー10-(X)と各インジケータ発光部11-(X),12-(X),13-(X)の列の下側にはＭＡＩＮ／ＳＵＢ選択用のキー21,22とＲＸ（受信）／ＴＸ（送信）選択用のキー23,24,25,26が配置されている。
すなわち、この短波帯アマチュア無線通信機1はＭＡＩＮとＳＵＢの２つの受信ユニットを内蔵しているため、いずれの受信ユニットで又は双方の受信ユニットで同時受信するかの選択を行うためのＭＡＩＮキー21とＳＵＢキー22が設けられており、またＭＡＩＮバンドとＳＵＢバンドのそれぞれでのＲＸ／ＴＸの選択を行うために、ＭＡＩＮキー21とＳＵＢキー22に対応させてそれぞれにＲＸキー23,25とＴＸキー24,26が設けられている。
なお、ＴＸキー24,26の間にＭＡＩＮ⇔ＳＵＢキー27が設けられているが、これは従来からＭＡＩＮとＳＵＢの受信ユニットを持つ無線通信機に用いられてきたもので、ＭＡＩＮ側とＳＵＢ側の運用周波数の入れ替えや、ＭＡＩＮ側の運用周波数をＳＵＢ側へコピーさせるような機能キーである。
【００２４】
以上の構成を備えた運用モード設定部分2は、図１に示すとおり短波帯アマチュア無線通信機1の操作パネル1aに装着されているが、通信機本体のシステムと図２に示すような接続関係になっている。
図２において、31,32はアンテナ、33はアンテナ選択・チューナー部、34はＭＡＩＮ側受信ユニット、35はＳＵＢ側受信ユニット、36は送信ユニット、37は信号処理部、38はアンプ、39はスピーカー、40はマイクロホン、41はアンプ、42は表示制御部、43は液晶ディスプレイ、44は操作パネル1aの前記運用モード設定部分2以外の各種キーや各種ダイアル、45はシステム制御部、46はＬＥＤ制御部、47はＬＥＤドライバであり、システム制御部45が、操作パネル1aの運用モード設定部分2を含む各種キーや各種ダイアルの操作信号の入力に基づいて、通信機本体の通信・信号処理・入出力などの本来の制御を実行するが、ＬＥＤ制御部46とＬＥＤドライバ47により運用モード設定部分2のインジケータ発光部11-(X),12-(X),13-(X),14,15の各ＬＥＤの点灯／消灯制御も行うようになっている。
【００２５】
以下、運用モード設定部分2の具合的な操作と動作について説明する。
(1)  いずれのバンドキー10-(X)も長押し操作がなされると、長押しされたバンドキー10-(i)に対応しているインジケータ発光部11-(i)が点灯（橙色）せしめられる。
この動作は運用周波数に関するメモ機能に相当するような役割を持たせる。
短波帯アマチュア無線通信機は、短波帯で運用可能な全ての周波数帯で通信できるように構成されているが、実際には全ての周波数帯を一本のアンテナで同調させることは不可能であるため、あらかじめ運用したい周波数帯に合わせてアンテナを準備していることが殆どである。
したがって、この機能を利用すれば、使用する周波数帯と使用しない周波数帯をインジケータ発光部11-(i)の点灯（橙色）／消灯によって明示させておくことで、運用中に周波数帯間の円滑な移動を可能にするという効果が得られる。
もっとも、無線通信動作に対して独立したメモ機能であるため、無線通信機1の運用者が目的に応じて都合よく自由に利用できる。
なお、バンドキー10-(i)を再度長押しすれば、インジケータ発光部11-(i)は消灯する。
長押しの時間については任意に設定できるが、０.５秒程度が目安とされる。
【００２６】
(2) ＭＡＩＮキー21又はＳＵＢキー22を押して、いずれかのバンドキー10-(X)を短押しすると、本来の周波数帯域の設定動作が実行される。
ＭＡＩＮキー21を押して、運用する周波数帯に係るバンドキー10-(i)を短押しした場合、ＭＡＩＮ側の受信ユニット34がバンドキー10-(i)の周波数帯域の受信モードに設定されると共に、インジケータ発光部14を点灯（青色）させ、またインジケータ発光部12-(X)の列における前記バンドキー10-(i)に対応するインジケータ発光部12-(i)を点灯（青色）させる。
そして、ＭＡＩＮ側の受信ユニット34に設定した周波数で送信を行うと、インジケータ発光部12-(i)の青色発光ＬＥＤが消灯して赤色発光ＬＥＤが点灯せしめられる。
【００２７】
一方、ＳＵＢキー22を押して、運用する周波数帯に係るバンドキー10-(i)を短押しした場合、ＳＵＢ側の受信ユニット35がバンドキー10-(i)の周波数帯域の受信モードに設定されると共に、インジケータ発光部15を点灯（白色）させ、またインジケータ発光部13-(X)の列における前記バンドキー10-(i)に対応するインジケータ発光部13-(i)を点灯（白）させる。
ＳＵＢ側の受信ユニット35に設定した周波数で送信を行うと、インジケータ発光部13-(i)の白色発光ＬＥＤが消灯して赤色発光ＬＥＤが点灯せしめられることはＭＡＩＮ側の場合と同様である。
【００２８】
なお、インジケータ発光部14と15については、ＭＡＩＮキー21又はＳＵＢキー22のいずれかを押して、ＭＡＩＮ側とＳＵＢ側の内の実際に運用しているバンド側のみ点灯するようになっており、これによりＭＡＩＮバンドで運用中かＳＵＢバンドで運用中かを簡単に視認でできることになる。
これは、インジケータ発光部12-(i)やインジケータ発光部13-(i)がＭＡＩＮ側とＳＵＢ側のいずれで運用されていても、常に点灯状態にあって設定周波数帯が分かるようになっているのと対照的である。
【００２９】
以上のように、この実施例に係る短波帯アマチュア無線通信機の運用モード設定装置によれば、異なる発光色のインジケータ発光部11-(X),12-(X),13-(X)の列を配置させておいて、バンドキー10-(X)を用いて使用する周波数帯を確認しておくなどのメモ機能を持たせることや、ＭＡＩＮ側とＳＵＢ側の各受信ユニットに設定されている周波数帯を極めて明瞭に視認・確認させることを可能にしている。
【産業上の利用可能性】
【００３０】
本発明は、ＭＡＩＮ／ＳＵＢの受信ユニットを有した短波帯アマチュア無線通信機に適用できる。
【符号の説明】
【００３１】
1・短波帯アマチュア無線通信機、1a・操作パネル、2・運用モード設定部分、10-(X)・バンドキー、11-(X),12-(X),13-(X),14,15・インジケータ発光部、21・ＭＡＩＮキー、22・ＳＵＢキー、23・ＲＸキー、24・ＴＸキー、25・ＲＸキー、26・ＴＸキー、27・ＭＡＩＮ⇔ＳＵＢキー、31,32・アンテナ、33・アンテナ選択・チューナー部、34・ＭＡＩＮ受信ユニット、35・ＳＵＢ受信ユニット、36・送信ユニット、37・信号処理回路、38・アンプ、39・スピーカー、40・マイクロホン、41・アンプ、42・表示制御部、43・ディスプレイ、44・操作パネルの前記運用モード設定部分2以外の各種キーや各種ダイアル、45・システム制御部、46・ＬＥＤ制御部、47・ＬＥＤドライバ。
【図１】
2019201367.tif 000003
【図２】
2019201367.tif 000004
【図３】
2019201367.tif 000005
【図４】
2019201367.tif 000006
【手続補正書】
【提出日】平成30年5月28日(2018.5.28)
【手続補正１】
【補正対象書類名】明細書
【補正対象項目名】０００３
【補正方法】変更
【補正の内容】
【０００３】
そのため、短波帯アマチュア無線通信機では、前記の許可された各短波帯での運用が可能なように設計されており、各短波帯の選択のために、前面操作パネル面の一区画を占有する態様でテンキーとバンドキー（運用周波数帯選択キー）の兼用キーとして、又は専用のバンドキーとして、押しボタン式の入力キーがマトリクス状に配置させてある。
【手続補正２】
【補正対象書類名】明細書
【補正対象項目名】００１０
【補正方法】変更
【補正の内容】
【００１０】
一方、最近の短波帯アマチュア無線通信機の多くは液晶ディスプレイを搭載して電波の受信状態と共に運用モードの詳細を表示させるようになっており、さらには一定の操作に関してはタッチパネル方式でキー・ダイアルの場合と同様の操作が可能になっている機種も販売されており、上記の非特許文献１に係る無線通信機はタッチパネル方式の液晶ディスプレイになっている。
しかしながら、タッチパネルでの入力操作は比較的複雑で熟達までには相当の経験と時間が必要であり、またメニュー画面を表示させてからの選択入力などの手順が多く、迅速な切り替えが要求されるような場合には不向きな面も多い。
【手続補正３】
【補正対象書類名】明細書
【補正対象項目名】００１７
【補正方法】変更
【補正の内容】
【００１７】
本発明は、短波帯アマチュア無線通信機において、運用周波数帯域の設定などの送受信周波数に関連する運用モード設定を高い視認性確認の下に迅速且つ容易にできるようにする。また、使用可能な又はよく使用する周波数帯を予め確認することなどを可能にするメモ機能も備えて利便性の向上を図ることで使い勝手のよい無線通信機を提供する。
【手続補正４】
【補正対象書類名】明細書
【補正対象項目名】００１９
【補正方法】変更
【補正の内容】
【００１９】
以下、本発明の実施例に係る短波帯アマチュア無線通信機の運用モード設定装置について、図面を参照しながら詳細に説明する。
先ず、図１において、1は短波帯アマチュア無線通信機であり、2はその操作パネル1aにおける周波数関連の運用モード設定部分であり、同運用モード設定部分2については上側に拡大して示してある。
【手続補正５】
【補正対象書類名】明細書
【補正対象項目名】００２２
【補正方法】変更
【補正の内容】
【００２２】
さらに、前記インジケータ発光部12-(X)と13-(X)の列の左側には、それぞれ青色発光ＬＥＤと白色発光ＬＥＤによる短い長円状のインジケータ発光部14,15が配設されている。
【手続補正６】
【補正対象書類名】明細書
【補正対象項目名】００２４
【補正方法】変更
【補正の内容】
【００２４】
以上の構成を備えた運用モード設定部分2は、図１に示すとおり短波帯アマチュア無線通信機1の操作パネル1aに装着されているが、通信機本体のシステムと図２に示すような接続関係になっている。
図２において、31,32はアンテナ、33はアンテナ選択・チューナー部、34はＭＡＩＮ側受信ユニット、35はＳＵＢ側受信ユニット、36は送信ユニット、37は信号処理部、38はアンプ、39はスピーカー、40はマイクロホン、41はアンプ、42は表示制御部、43は液晶ディスプレイ、44は操作パネル1aの前記運用モード設定部分2以外の各種キーや各種ダイアル、45はシステム制御部、46はＬＥＤ制御部、47はＬＥＤドライバである。
そして、システム制御部45は、操作パネル1aの運用モード設定部分2を含む各種キーや各種ダイアルの操作信号の入力に基づいて、通信機本体の通信・信号処理・入出力などの本来の制御を実行するが、ＬＥＤ制御部46とＬＥＤドライバ47により運用モード設定部分2のインジケータ発光部11-(X),12-(X),13-(X),14,15の各ＬＥＤの点灯／消灯制御も行うようになっている。
【手続補正７】
【補正対象書類名】明細書
【補正対象項目名】００２６
【補正方法】変更
【補正の内容】
【００２６】
(2) ＭＡＩＮキー21又はＳＵＢキー22を押して、いずれかのバンドキー10-(X)を短押しすると、本来の周波数帯域の設定動作が実行される。
ＭＡＩＮキー21を押して、運用する周波数帯に係るバンドキー10-(i)を短押しした場合、ＭＡＩＮ側の受信ユニット34がバンドキー10-(i)の周波数帯域の受信モードに設定されると共に、インジケータ発光部14を点灯（青色）させ、またインジケータ発光部12-(X)の列における前記バンドキー10-(i)に対応するインジケータ発光部12-(i)を点灯（青色）させる。
そして、ＭＡＩＮ側の受信ユニット34に設定した周波数で送信動作を行うと、インジケータ発光部12-(i)の青色発光ＬＥＤが消灯して赤色発光ＬＥＤが点灯せしめられる。
【手続補正８】
【補正対象書類名】明細書
【補正対象項目名】００３１
【補正方法】変更
【補正の内容】
【００３１】
1…短波帯アマチュア無線通信機、1a…操作パネル、2…運用モード設定部分、10-(X)…バンドキー、11-(X),12-(X),13-(X),14,15…インジケータ発光部、21…ＭＡＩＮキー、22…ＳＵＢキー、23…ＲＸキー、24…ＴＸキー、25…ＲＸキー、26…ＴＸキー、27…ＭＡＩＮ⇔ＳＵＢキー、31,32…アンテナ、33…アンテナ選択・チューナー部、34…ＭＡＩＮ受信ユニット、35…ＳＵＢ受信ユニット、36…送信ユニット、37…信号処理回路、38…アンプ、39…スピーカー、40…マイクロホン、41…アンプ、42…表示制御部、43…ディスプレイ、44…操作パネルの前記運用モード設定部分2以外の各種キーや各種ダイアル、45…システム制御部、46…ＬＥＤ制御部、47…ＬＥＤドライバ。
【手続補正９】
【補正対象書類名】図面
【補正対象項目名】図１
【補正方法】変更
【補正の内容】
【図１】
2019201367.tif 000007